(57)【要約】【課題】１枚のムートンから補修用のムートンパーツを効率よく、作成することができると共に補修作業を画一的に行うことができ、しかも、資源の有効利用を図ることができるムートンシーツの補修方法を提供する。【解決手段】まず、ムートンシーツ１における身体を横たえる主領域ＭＲのうち、損耗した肩部から損耗した臀部に至る第１領域Ｒ１と、損耗した踵部から脹ら脛下部に至る第２領域Ｒ２とをそれぞれ切除する。次に、ムートンシーツの第１領域Ｒ１を切除することによって得られた切除パーツ１０ａから、損耗の程度の低い腰背部に対応する部分を再利用パーツ２０として切り離す。そして、この再利用パーツ２０を、切除されたムートンシーツ１の第２領域Ｒ２に嵌め込んで皮部同士を縫製すると共に、切除されたムートンシーツ１の第１領域に新しいムートンパーツ３０を嵌め込んで皮部同士を縫製すると、ムートンシーツ１の補修が完了する。【選択図】        図５
2019058564.tif 000002
【特許請求の範囲】
【請求項１】
ムートンシーツにおける身体を横たえる主領域のうち、損耗した肩部から損耗した臀部に至る第１領域と、損耗した踵部から脹ら脛下部に至る第２領域とをそれぞれ切除する工程と、
ムートンシーツの第１領域を切除することによって得られた切除パーツから損耗の程度の低い部分を再利用パーツとして切り離す工程と、
切除されたムートンシーツの第１領域に新しいムートンパーツを嵌め込んで縫製すると共に、切除されたムートンシーツの第２領域に再利用パーツを嵌め込んで縫製する工程と
を備えていることを特徴とするムートンシーツの補修方法。
【請求項２】
ムートンシーツにおける身体を横たえる主領域で、損耗した肩部から損耗した踵部に至る領域を切除する工程と、
ムートンシーツを切除することによって得られた切除パーツから損耗の程度の低い部分を再利用パーツとして切り離す工程と、
ムートンシーツの切除領域の内、踵部〜太腿部に対応する領域に再利用パーツを嵌め込んで縫製すると共に、肩部〜臀部に対応する領域に新しいムートンパーツを嵌め込んで縫製する工程と
を備えていることを特徴とするムートンシーツの補修方法。
【請求項３】
補修後に残った切除パーツの残存部分を、クッション、座布団、リストレスト、抱き枕、枕等のムートン小物として再利用するようにした請求項１または２に記載のムートンシーツの補修方法。
【発明の詳細な説明】
【技術分野】
【０００１】
この発明は、部分的に損耗したムートンシーツの補修方法に関する。
【背景技術】
【０００２】
天然ムートンは、羊の毛皮をなめして、天然の状態のまま貴化処理（毛伸し・艶だし）を施したものであり、らせん状の縮れ毛が高い保温・断熱効果及び優れた弾力性を発揮するとともに、羊毛自身の優れた吸湿性及び放湿性によって、さらっとした肌触りを保つことができるという特性を有しているため、例えば、ムートンシーツといった寝具等の敷物として使用されている。
【０００３】
こういったムートンシーツを長年使用していると、人の体圧が加わる肩部、臀部及びかかと部の羊毛だけがすり減って部分的に薄くなり、寝心地が悪くなるため、こういった部分的に損耗したムートンシーツは、新しいムートンシーツに買い換えるのが一般的であったが、ムートンシーツは高価であり、肩部、臀部及び足下等の損耗部分以外は継続使用が可能な状態であるので、近年では、損耗部分を切除し、その切除部分に新品のムートンパーツを嵌め込んでムートンの皮部同士を縫製することにより補修を行っている。
【先行技術文献】
【特許文献】
【０００４】
【特許文献１】特開２００８−２９５８５０号公報
【発明の概要】
【発明が解決しようとする課題】
【０００５】
しかしながら、ムートンシーツの損耗部分の位置、大きさ、損耗状態は使用者によってそれぞれ異なっているので、上述したように、損耗部分のみを切除し、その切除部分に新品のムートンパーツを嵌め込んでムートンの皮部同士を縫製するといった補修方法を採用すると、損耗したムートンシーツ毎に個別に対応することになるので、使用する補修用のムートンパーツの大きさや形状もまちまちとなり、補修用のムートンパーツ作成するためのムートンを効率よく使用することができないと共に、補修作業を画一的に行うことができないといった問題がある。さらに、ムートンシーツの損耗状態によって補修費用も変動することになるので、補修業者は、補修費用をその都度見積もらなければならず、繁雑であるといった問題もある。
【０００６】
また、ムートンシーツの足下部分は、肩部分や臀部分に比べて荷重がかかりにくいので損耗しにくく、しかも、寝心地にそれほど大きな影響を与えず、多少の損耗は許容できるので、損耗の程度の低い足下部分を、損耗の程度の高い肩部分や臀部分と共に、新品のムートンパーツに交換するのは、資源の有効利用という観点からも好ましくない。
【０００７】
そこで、この発明の課題は、１枚のムートンから補修用のムートンパーツを効率よく、作成することができると共に補修作業を画一的に行うことができ、しかも、資源の有効利用を図ることができるムートンシーツの補修方法を提供することにある。
【課題を解決するための手段】
【０００８】
上記の課題を解決するため、請求項１に係る発明は、ムートンシーツにおける身体を横たえる主領域のうち、損耗した肩部から損耗した臀部に至る第１領域と、損耗した踵部から脹ら脛下部に至る第２領域とをそれぞれ切除する工程と、ムートンシーツの第１領域を切除することによって得られた切除パーツから損耗の程度の低い部分を再利用パーツとして切り離す工程と、切除されたムートンシーツの第１領域に新しいムートンパーツを嵌め込んで縫製すると共に、切除されたムートンシーツの第２領域に再利用パーツを嵌め込んで縫製する工程とを備えていることを特徴とするムートンシーツの補修方法を提供するものである。
【０００９】
また、請求項２に係る発明は、ムートンシーツにおける身体を横たえる主領域で、損耗した肩部から損耗した踵部に至る領域を切除する工程と、ムートンシーツを切除することによって得られた切除パーツから損耗の程度の低い部分を再利用パーツとして切り離す工程と、ムートンシーツの切除領域の内、踵部〜太腿部に対応する領域に再利用パーツを嵌め込んで縫製すると共に、肩部〜臀部に対応する領域に新しいムートンパーツを嵌め込んで縫製する工程とを備えていることを特徴としている。
【００１０】
また、請求項３に係る発明は、請求項１または２に係る発明のムートンシーツの補修方法において、補修後に残った切除パーツの残存部分を、クッション、座布団、リストレスト、抱き枕、枕等のムートン小物として再利用するようにしたことを特徴としている。
【発明の効果】
【００１１】
以上のように、請求項１に係る発明のムートンシーツの補修方法は、補修領域を肩部から臀部に至る第１領域と踵部から脹ら脛下部に至る第２領域とに固定し、第１領域を切除することによって得られた切除パーツから損耗の程度の低い再利用パーツを切り離して第２領域の補修用のムートンパーツとして利用すると共に、第１領域を新しいムートンパーツによって補修するようにしたので、ムートンシーツの補修作業を画一的に行うことができる。
【００１２】
特に、新しいムートンパーツによって補修する第１領域は、肩部〜臀部に対応する領域で、１枚のムートンによって略まかなえる大きさなので、補修用のムートンパーツを効率よく、作成することができると共に、切除パーツから損耗の程度の低い再利用パーツを切り離して第２領域の補修用のムートンパーツとして利用するようにしたので、資源の有効利用を図ることができる。
【００１３】
また、請求項２に係る発明のムートンシーツの補修方法は、補修領域を肩部から踵部に至る領域に固定し、この領域を切除することによって得られた切除パーツから損耗の程度の低い再利用パーツを切り離して踵部〜太腿部に対応する領域の補修用のムートンパーツとして利用すると共に、肩部〜臀部に対応する領域を新しいムートンパーツによって補修するようにしたので、ムートンシーツの補修作業を画一的に行うことができる。
【００１４】
特に、新しいムートンパーツによって補修する肩部〜臀部に対応する領域は１枚のムートンによって略まかなえる大きさなので、補修用のムートンパーツを効率よく、作成することができると共に、切除パーツから損耗の程度の低い再利用パーツを切り離して踵部〜太腿部に対応する領域の補修用のムートンパーツとして利用するようにしたので、資源の有効利用を図ることができる。
【００１５】
また、請求項３に係る発明のムートンシーツの補修方法は、補修後に残った切除パーツの残存部分をムートン小物として再利用するようにしたので、さらに資源の有効利用を図ることができる。
【図面の簡単な説明】
【００１６】
【図１】この発明に係るムートンシーツの補修方法の実施例を示す工程図である。
【図２】同上の実施例を示す工程図である。
【図３】（ａ）、（ｂ）は同上の実施例を示す工程図である。
【図４】同上の実施例を示す工程図である。
【図５】同上の実施例を示す工程図である。
【図６】この発明に係るムートンシーツの補修方法の他の実施例を示す工程図である。
【図７】（ａ）、（ｂ）は同上の実施例を示す工程図である。
【図８】同上の実施例を示す工程図である。
【図９】同上の実施例を示す工程図である。
【図１０】同上の実施例の変形例を示す完成図である。
【発明を実施するための形態】
【００１７】
以下、実施例について図面を参照して説明する。図１は、損耗したムートンシーツ１を示している。図１において、１点鎖線でムートンシーツ１に横たわる人ｍを、２点鎖線で囲われた領域が身体を横たえる主領域ＭＲをそれぞれ示しており、ムートンシーツ１の損耗部位を網掛け表示の濃淡によって表している。即ち、濃い網掛け表示部位は損耗の程度が高く、薄くなるに従って損耗の程度が低くなっていることを示している。図１に示すムートンシーツ１の損耗状態は、大きな体圧がかかることで弾力性が低下する臀部や肩部の損耗が最も大きく、次に、足を動かすことに伴う摩擦により毛絡みや毛切れが発生するかかと部の損耗が大きく、体圧のかかりにくい腰背部や脹ら脛上部〜太腿部の損耗はそれほど大きくないことが分かる。なお、ムートンシーツ１における最も目の粗い網掛け表示部分は、損耗していない部分を示している。
【００１８】
以下、図１に示す損耗したムートンシーツの補修方法について説明する。まず、図２に示すように、ムートンシーツ１における身体を横たえる主領域ＭＲのうち、損耗した肩部から損耗した臀部に至る第１領域Ｒ１と、損耗した踵部から脹ら脛下部に至る第２領域Ｒ２とをそれぞれ切除する。
【００１９】
次に、図３（ａ）に示す、ムートンシーツの第１領域Ｒ１を切除することによって得られた切除パーツ１０ａを、同図に破線で示す切断位置で切断することにより、同図（ｂ）に示すように、損耗の程度の低い腰背部に対応する部分を再利用パーツ２０として切り離す。
【００２０】
そして、図４に示すように、この再利用パーツ２０を、切除されたムートンシーツ１の第２領域Ｒ２に嵌め込んで皮部同士を縫製すると共に、図５に示すように、切除されたムートンシーツ１の第１領域に新しいムートンパーツ３０を嵌め込んで皮部同士を縫製すると、ムートンシーツ１の補修が完了する。
【００２１】
以上のように、この補修方法は、補修領域を肩部から臀部に至る第１領域Ｒ１と踵部から脹ら脛下部に至る第２領域Ｒ２とに固定し、第１領域Ｒ１を切除することによって得られた切除パーツ１０ａから損耗の程度の低い再利用パーツ２０を切り離して第２領域Ｒ２の補修用のムートンパーツとして利用すると共に、第１領域Ｒ１を新しいムートンパーツ３０によって補修するようにしたので、損耗したムートンシーツの補修作業を画一的に行うことができる。
【００２２】
特に、新しいムートンパーツ３０によって補修する第１領域Ｒ１は、肩部〜臀部に対応する領域で、１枚のムートンによって略まかなえる大きさなので、補修用のムートンパーツ３０を効率よく、作成することができると共に、切除パーツ１０ａから損耗の程度の低い再利用パーツ２０を切り離して第２領域Ｒ２の補修用のムートンパーツとして利用するようにしたので、資源の有効利用を図ることができる。
【００２３】
図６〜図９は、図１に示す損耗したムートンシーツの他の補修方法を示している。この補修方法では、まず、図６に示すように、ムートンシーツ１における身体を横たえる主領域（損耗した肩部から損耗した踵部に至る領域）ＭＲ全体を切除した後、図７（ａ）に示すように、ムートンシーツ１の主領域ＭＲを切除することによって得られた切除パーツ１０を、同図に破線で示す切断位置で切断することにより、同図（ｂ）に示すように、最も損耗の程度の低い脹ら脛上部〜太腿部に対応する部分を再利用パーツ２０ａとして、次に損耗の程度の低い腰背部に対応する部分を再利用パーツ２０ｂとしてそれぞれ切り離す。
【００２４】
そして、図８に示すように、ムートンシーツ１の切除領域の内、踵部から脹ら脛下部に至る部分に対応する領域に再利用パーツ２０ａを、脹ら脛上部から太腿部に至る部分に対応する領域に再利用パーツ２０ｂをそれぞれ嵌め込んで皮部同士を縫製すると共に、図９に示すように、肩部〜臀部に対応する領域に新しいムートンパーツ３０を嵌め込んで皮部同士を縫製すると、ムートンシーツ１の補修が完了する。
【００２５】
このムートンシーツの補修方法は、補修領域を主領域（肩部から踵部に至る領域）ＭＲに固定し、この主領域ＭＲを切除することによって得られた切除パーツ１０から損耗の程度の低い再利用パーツ２０ａ、２０ｂをそれぞれ切り離して踵部〜太腿部に対応する領域の補修用のムートンパーツとして利用すると共に、肩部〜臀部に対応する領域を新しいムートンパーツ３０によって補修するようにしたので、ムートンシーツの補修作業を画一的に行うことができる。
【００２６】
上述したように、新しいムートンパーツによって補修する肩部〜臀部に対応する領域は１枚のムートンによって略まかなえる大きさなので、補修用のムートンパーツ３０を効率よく、作成することができると共に、切除パーツ１０から損耗の程度の低い再利用パーツ２０ａ、２０ｂを切り離して踵部〜太腿部に対応する領域の補修用のムートンパーツとして利用するようにしたので、資源の有効利用を図ることができる。
【００２７】
なお、上述したムートンシーツ１は、脹ら脛上部〜太腿部に対応する部分の損耗の程度が最も低く、次に損耗の程度の低い部位が腰背部に対応する部分であったため、脹ら脛上部〜太腿部に対応する部分を踵部〜脹ら脛下部に至る部分に対応する領域を補修する再利用パーツ２０ａとして使用し、腰背部に対応する部分を脹ら脛上部から太腿部に至る部分に対応する領域を補修する再利用パーツ２０ｂとして使用しているが、これに限定されるものではなく、損耗の程度が最も低い再利用パーツを踵部〜脹ら脛下部に至る部分に対応する領域の補修用として、次に損耗の程度が低い再利用パーツを脹ら脛上部から太腿部に至る部分に対応する領域の補修用として使用すればよい。
【００２８】
従って、腰背部に対応する部分の損耗の程度が最も低く、次に損耗の程度の低い部位が脹ら脛上部〜太腿部に対応する部分であった場合は、図１０に示すように、腰背部に対応する部分を切り離した再利用パーツ２０ｂを用いて踵部から脹ら脛下部に至る部分に対応する領域を補修し、脹ら脛上部〜太腿部に対応する部分を切り離した再利用パーツ２０ａを脹ら脛上部〜太腿部に至る部分に対応する領域に戻して縫合すればよい。
【００２９】
また、再利用パーツ２０ａ、再利用パーツ２０ｂに損耗の程度の差がない場合は、再利用パーツ２０ａ、２０ｂを、踵部から脹ら脛下部に至る部分及び脹ら脛上部〜太腿部に至る部分のいずれかの補修用として適宜使用すればよい。
【００３０】
また、補修後に残った切除パーツ１０ａの残存部分（肩部、臀部）、切除パーツ１０ｂ、切除パーツ１０の残存部分（肩部、臀部、踵部から脹ら脛下部）を、クッション、座布団、リストレスト、抱き枕、枕等のムートン小物として再利用することで、さらに資源の有効利用を図ることができる。
【産業上の利用可能性】
【００３１】
本発明は、ムートンシーツを補修する際に利用することができる。
【符号の説明】
【００３２】
１  ムートンシーツ
ＭＲ  主領域
ｍ  人
Ｒ１  第１領域
Ｒ２  第２領域
１０、１０ａ、１０ｂ  切除パーツ
２０、２０ａ、２０ｂ  再利用パーツ
３０  ムートンパーツ
【図１】
2019058564.tif 000003
【図２】
2019058564.tif 000004
【図３】
2019058564.tif 000005
【図４】
2019058564.tif 000006
【図５】
2019058564.tif 000007
【図６】
2019058564.tif 000008
【図７】
2019058564.tif 000009
【図８】
2019058564.tif 000010
【図９】
2019058564.tif 000011
【図１０】
2019058564.tif 000012